(57)【要約】【課題】ピンジャック端子板を良好に回路基板に保持固定することができるようにする。【解決手段】まず、ハウジング１表面に、複数のピンジャック２、２…を設け、このハウジング１を回路基板４に取り付けて、この複数のピンジャック２、２…の各端子２ａ、２ａをこの回路基板４の回路に接続する。そして、このハウジング１の裏面の対向する位置に垂直下方に突出し、下部に係合突起１１ａ、１２ａを有する所定個の金属保持脚１１、１２を設ける。この金属保持脚１１、１２をこの回路基板４に設けたマウント孔４ａに保持固定することにより、ピンジャック端子板３が得られる。【選択図】図１
2008176953.tif 000002
【特許請求の範囲】
【請求項１】
ハウジング表面に、複数のピンジャックを設け、前記ハウジングを回路基板に取り付けて、前記複数のピンジャックの各端子を前記回路基板の回路に接続するピンジャック端子板であって、
前記ハウジングの裏面の対向する位置に垂直下方に突出し、下部に係合突起を有する所定個の金属保持脚を設け、
前記ピンジャック端子板を前記回路基板に取り付ける際に、前記金属保持脚を前記回路基板に設けたマウント孔に保持固定するようにしたことを特徴とするピンジャック端子板。
【請求項２】
請求項１記載のピンジャック端子板において、
前記金属保持脚の係合突起は、く字状又は逆く字状であることを特徴とするピンジャック端子板。
【請求項３】
請求項１記載のピンジャック端子板において、
前記金属保持脚は、前記ハウジングの裏面の対向する所定位置に圧入固定するようにしたことを特徴とするピンジャック端子板。
【請求項４】
請求項１記載のピンジャック端子板において、
前記金属保持脚は、板厚の異なる複数の回路基板に対応できるようにしたことを特徴とするピンジャック端子板。
【請求項５】
請求項１記載のピンジャック端子板において、
前記複数のピンジャックの各端子を前記回路基板の回路に接続するにディップハンダ付けにより行うようにしたことを特徴とするピンジャック端子板。
【請求項６】
請求項１記載のピンジャック端子板において、
前記ピンジャック端子板と前記回路基板との保持固定は、前記金属保持脚の弾性反発力により行うようにしたことを特徴とするピンジャック端子板。
【請求項７】
請求項１記載のピンジャック端子板において、
前記金属保持脚の復元力により前記回路基板を前記ピンジャック端子板方向に引き込むようにしたことを特徴とするピンジャック端子板。
【発明の詳細な説明】
【技術分野】
【０００１】
本発明は、例えばテレビジョン受像機とビデオレコーダ等との電気機器間において、映像信号、音声信号等を伝送するターミナル部等を構成する回路基板に保持接続するピンジャック端子板に関する。
【背景技術】
【０００２】
従来、例えばテレビジョン受像機とビデオレコーダ等との電気機器間において、映像信号、音声信号等を伝送するターミナル部等を構成するのに、回路基板に保持接続するピンジャック端子板が使用されている（特許文献１参照）。
【０００３】
従来のこのターミナル部につき、図４、図５、図６を参照して説明する。図４はこのターミナル部の例を示す斜視図、図５は従来のピンジャック端子板の裏面側から見た斜視図、図６は従来の回路基板の裏面側から見た斜視図である。
【０００４】
図４、図５において、１は合成樹脂により射出成形された所定形状例えば直方体形状のハウジングを示し、このハウジングの表面に必要数、必要種類のピンジャック２、２…を設けて、ピンジャック端子板３を構成する。
【０００５】
このピンジャック端子板３を所定の回路が形成された回路基板４に取り付け、各ピンジャック２、２…に所定のピンプラグ５を挿入することにより、電気機器間を接続するようにしている。
【０００６】
従来においては、図５に示すように、ピンジャック端子板３を構成するハウジング１の裏面側の一方の壁の中央位置にこの一方の壁に連続して垂直下方に一体成形したロック爪１ｂを有する脚１ａを設ける。
【０００７】
また、このハウジング１の裏面側の一方の壁に対向する他方の壁に、この他方の壁の一側端及び他側端から夫々１／３の位置に夫々他方の壁に連続して垂直下方に一体成形したロック爪１ｂを有する脚１ａを２つ設ける。
【０００８】
この場合、このハウジング１の裏面側の一方の壁及び他方の壁に連続して垂直下方に一体成形したロック爪１ｂを有する脚１ａ及び１ａ、１ａの夫々のロック爪１ｂ及び１ｂ、１ｂは夫々互いに外側になるようにする。
【０００９】
また、所定の回路が設けられた回路基板４のピンジャック端子板３の脚１ａ及び１ａ、１ａに対応する位置にマウント孔４ａ及び４ａ、４ａを形成する。また、この回路基板４の所定回路の所定位置に、ピンジャック端子板３のピンジャック２、２…の各端子２ａ、２ａ…が接続される位置に、接続孔４ｂ、４ｂ…を形成する。
【００１０】
従来において、ピンジャック端子板３を回路基板４にマウントするに、ピンジャック端子板３の脚１ａ及び１ａ、１ａを回路基板４のマウント孔４ａ及び４ａ、４ａに挿入する。
【００１１】
このときは、ピンジャック端子板３の脚１ａ及び１ａ、１ａの夫々のロック爪１ｂ及び１ｂ、１ｂが回路基板４のマウント孔４ａ及び４ａ、４ａに係合固定する。
【００１２】
この場合、図６に示すように、ピンジャック端子板３の各ピンジャック２、２…の各端子２ａ、２ａ…は、回路基板４の所定の回路に形成された所定の接続孔４ｂ、４ｂ…に挿入される。
【００１３】
従来においては、その後、このピンジャック端子板３の各ピンジャック２、２…の各端子２ａ、２ａ…を溶融したハンダに浸してハンダ付けするディップハンダにより、回路基板４の所定の回路の所定位置に電気的に接続するようにする。図５、図６において、６はハウジング１と一体成形された位置決め用のボスである。
【特許文献１】特開平１０−７９２７８号公報
【発明の開示】
【発明が解決しようとする課題】
【００１４】
ところで、従来においては、ピンジャック端子板３を回路基板４にマウントするときに、ピンジャック端子板３の合成樹脂よりなるハウジング１のロック爪１ｂを有する脚１ａを回路基板４に設けたマウント孔４ａに嵌め込みロック爪１ｂで係合固定していた。そして、各ピンジャック２、２…の各端子２ａ、２ａ…を回路基板４の所定の回路に形成された所定の接続孔４ｂ、４ｂ…に挿入し、ディップハンダしていた。
【００１５】
このときは、この溶融したハンダが、この合成樹脂より成る脚１ａのロック爪１ｂに当たることがあり、このハンダがこの脚１ａのロック爪１ｂに当ったときには、このロック爪１ｂが溶けることがあり、このロック爪１ｂが溶けると保持力がなくなり、マウント浮きにつながる。
【００１６】
従来は、このマウント浮きを防止するため、浮き防止治具が必要になる不都合があった。
【００１７】
また、このロック爪１ｂ、位置決め用のボス６等の合成樹脂部分が溶けたときには、この溶けた部位にハンダボールが付着する懼れがある。この溶けた部位にハンダボールが付着したときには、このハンダボールが電気機器内に脱落する懼れがある。
【００１８】
このハンダボールが電気機器内に脱落したときには、発煙発火につながるので、この付着したハンダボールを、後工程で人手により完全に除去しなければならない不都合があった。
【００１９】
このディップハンダによるロック爪１ｂ、位置決め用のボス６等の合成樹脂部分が溶けるのを避けるために、ディップハンダを行うときに、このロック爪１ｂ、位置決め用のボス６等の合成樹脂部分のみをカバーするマスク治具を取り付けることが考えられる。このときは、このロック爪１ｂ、位置決め用のボス６等の合成樹脂部分のみにカバーするマスク治具を取り付けなければならない不都合があると共に部品端子の配置によっては、マスクが不可能な箇所も残る。
【００２０】
また、ピンジャック端子板３の合成樹脂よりなるハウジング１の脚１ａのロック爪１ｂで回路基板４に係合保持するようにしたときには、回路基板４の板厚の異なる例えば１．６ｍｍ及び１．２ｍｍの夫々に応じて、ピンジャック端子板３を形成しなければならなかった。
【００２１】
また、ピンジャック端子板３の合成樹脂よりなるハウジング１の脚１ａのロック爪１ｂで回路基板４のマウント孔４ａに係合保持するようにしたときには、ロック爪１ｂが実際に回路基板４の係合保持に効いている部分は、片側０．２ｍｍ〜０．４ｍｍ程度の幅しかない。
【００２２】
このため、この合成樹脂よりなるハウジング１の脚１ａのロック爪１ｂの場合、回路基板４のマウント孔４ａが試作段階のＮＣ加工から、量産対応のプレス加工に変わっただけ（寸法不変）でも、嵌合が悪くなることがある。また、この嵌合の悪さは、回路基板４のエッジの荒さに影響を受けやすい。
【００２３】
本発明は、斯かる点に鑑み、上述課題を解消し、ピンジャック端子板を良好に回路基板に保持固定することができるようにすることを目的とする。
【課題を解決するための手段】
【００２４】
本発明ピンジャック端子板は、ハウジング表面に、複数のピンジャックを設け、このハウジングを回路基板に取り付けて、この複数のピンジャックの各端子をこの回路基板の回路に接続するピンジャック端子板であって、このハウジングの裏面の対向する位置に垂直下方に突出し、下部に係合突起を有する所定個の金属保持脚を設け、このピンジャック端子板をこの回路基板に取り付ける際に、この金属保持脚をこの回路基板に設けたマウント孔に保持固定するようにしたものである。
【００２５】
本発明ピンジャック端子板は、請求項１記載のピンジャック端子板において、この金属保持脚の係合突起は、く字状又は逆く字状であるものである。
【００２６】
本発明ピンジャック端子板は、請求項１記載のピンジャック端子板において、この金属保持脚は、このハウジングの裏面の対向する所定位置に圧入固定するようにしたものである。
【００２７】
本発明ピンジャック端子板は、請求項１記載のピンジャック端子板において、この金属保持脚は、板厚の異なる複数の回路基板に対応できるようにしたものである。
【００２８】
本発明ピンジャック端子板は、請求項１記載のピンジャック端子板において、この複数のピンジャックの各端子をこの回路基板の回路に接続するにディップハンダ付けにより行うようにしたものである。
【００２９】
本発明ピンジャック端子板は、請求項１記載のピンジャック端子板において、このピンジャック端子板とこの回路基板との保持固定は、この金属保持脚の弾性反発力により行うようにしたものである。
【００３０】
本発明ピンジャック端子板は、請求項１記載のピンジャック端子板において、この金属保持脚の復元力によりこの回路基板をこのピンジャック端子板方向に引き込むようにしたものである。
【発明の効果】
【００３１】
本発明によれば、金属保持脚により、ピンジャック端子板を回路基板に保持固定するようにしているので、ディップハンダを行ったときに溶けることがなく、保持固定が確実におこなわれ、浮きを生じることがない。
【００３２】
この場合、万一ディップハンダ時に回路基板の反りによって、一部が浮き上がっても、金属保持脚の係合突起がく字状又は逆く字状をしているので、自ら引き込もうとする復元力により浮きは防止される。
【００３３】
また、金属保持脚は、ディップハンダ時にハンダが当っても溶けることがなく、ハンダボールが付着することがないので、このハンダボールを除去する後工程を必要としない。
【００３４】
また、本発明によれば、金属保持脚によりピンジャック端子板を回路基板に保持固定するようにしているので、この金属保持脚は、それ自身の弾性反発力により回路基板に対して保持している。このため微小な孔寸法の変化、回路基板のエッジの荒さの変化にもマージンが大きい。
【発明を実施するための最良の形態】
【００３５】
以下、図１〜図４を参照して、本発明ピンジャック端子板を実施するための最良の形態の例につき説明する。本例においても、例えばテレビジョン受像機とビデオレコーダ等との電気機器間において、映像信号、音声信号等を伝送するターミナル部等を構成する回路基板に接続保持されるピンジャック端子板につき説明する。この図１及び図２において、図５及び図６に対応する部分には同一符号を付して示す。
【００３６】
図１は、本例のピンジャック端子板３の裏面側から見た斜視図、図２は、本例の回路基板の裏面側から見た斜視図、図４は、ターミナル部の例を示す斜視図である。
【００３７】
図１、図４において、１は合成樹脂により射出成形された所定形状例えば直方体形状のハウジングを示し、このハウジングの表面に図４に示すように必要数、必要種類のピンジャック２、２…を設けて、ピンジャック端子板３を構成する。
【００３８】
このピンジャック端子板３を所定の回路が形成された回路基板４に取り付け、各ピンジャック２、２…に所定のピンプラグ５を挿入することにより、電気機器間を接続するようにしている。
【００３９】
本例においては、図１に示すように、ピンジャック端子板３を構成するハウジング１の裏面側の一方の壁１０ａに、この一方の壁１０ａの中央位置に垂直下方に突出して、下部に係合突起１１ａを有する１個の金属保持脚１１を設ける。
【００４０】
また、本例においては、このハウジング１の裏面側の一方の壁１０ａに対向する他方の壁１０ｂに、この他方の壁１０ｂの一側端及び他側端から夫々１／３の位置に夫々垂直下方に突出して、下部に係合突起１２ａ、１２ａを有する２個の金属保持脚１２、１２を設ける。
【００４１】
この金属保持脚１１及び１２は、同様に構成されたもので、図３に示すように、所定長さの細長の例えばステンレススチール等の金属板の下部をく字状又は逆く字状に屈曲して、係合突起１１ａ及び１２ａとすると共にこのく字状又は逆く字状部の上部に垂直方向に延びる所定長さの固定部ｃを設けたものである。
【００４２】
本例においては、この金属保持脚１１及び１２の固定部ｃを合成樹脂より成るハウジング１の裏面側の一方の壁１０ａ及び他方の壁１０ｂに圧入固定するようにする。
【００４３】
この場合、この金属保持脚１１、１２の圧入固定の保持がルーズにならないように、この金属保持脚１１、１２の固定部ｃの最大幅を例えば５．０ｍｍ以上に設定すると共にこの一方の壁１０ａ及び他方の壁１０ｂの保持穴サイズを例えば４．０ｍｍ×２．０ｍｍに統一するようにする。
【００４４】
また、この金属保持脚１１、１２の固定部ｃの長さＬ１を例えば３．０ｍｍとし、係合突起１１ａ、１２ａを形成するく字状又は逆く字状部の1辺の垂直方向の長さＬ２を例えば２.５ｍｍとし、係合突起１１ａ、１２ａの幅Ｌ３を例えば２.０ｍｍとする。
【００４５】
この係合突起１１ａ、１２ａを形成するく字状又は逆く字状部の1辺の垂直方向の長さＬ２を例えば２.５ｍｍとし、係合突起１１ａ、１２ａの幅Ｌ３を例えば２.０ｍｍとしたときには、後述する回路基板４の板厚が１．６ｍｍでも１．２ｍｍでも双方に対応し、保持固定を良好に行うことができる。
【００４６】
この場合、この金属保持脚１１及び１２を夫々ハウジング１の対向する一方の壁１０ａ及び他方の壁１０ｂに圧入固定したときには、この金属保持脚１１及び１２の夫々の係合突起１１ａ及び１２ａは夫々互いに外側になるようにする。
【００４７】
また、所定の回路が設けられた回路基板４のピンジャック端子板３の金属保持脚１１及び１２、１２に対応する所定位置にマウント孔４ａ及び４ａ、４ａを形成する。また、この回路基板４の所定回路の所定位置に、ピンジャック端子板３のピンジャック２、２…の各端子２ａ、２ａ…が接続される位置に、接続孔４ｂ、４ｂ…を形成する。
【００４８】
本例においては、ピンジャック端子板３を回路基板４にマウントするに、ピンジャック端子板３の金属保持脚１１及び１２、１２を回路基板４のマウント孔４ａ及び４ａ、４ａに挿入する。
【００４９】
このときは、金属保持脚１１及び１２、１２の夫々の係合突起１１ａ及び１２ａ、１２ａの弾性反発力により、このピンジャック端子板３を回路基板４に保持固定する。
【００５０】
この場合、図２に示すように、ピンジャック端子板３の各ピンジャック２、２…の各端子２ａ、２ａ…は、回路基板４の所定の回路に形成された所定の接続孔４ｂ、４ｂ…に挿入される。
【００５１】
本例においては、その後、このピンジャック端子板３の各ピンジャック２、２…の各端子２ａ、２ａ…を溶融したハンダに浸してハンダ付けするディップハンダにより、回路基板４の所定の回路の所定位置に電気的に接続するようにする。
【００５２】
本例によれば、金属保持脚１１及び１２、１２により、ピンジャック端子板３を回路基板４に保持固定するようにしているので、ディップハンダを行ったときに、この金属保持脚１１及び１２、１２が溶けることがなく、保持固定が確実におこなわれ、浮きを生じることがない。
【００５３】
この場合、万一ディップハンダ時に回路基板４の反りによって、一部が浮き上がっても、金属保持脚１１及び１２、１２の夫々の係合突起１１ａ及び１２ａ、１２ａがく字状又は逆く字状をしているので、自ら引き込もうとする復元力により浮きは防止される。
【００５４】
また、本例による金属保持脚１１及び１２、１２は、ディップハンダ時にハンダが当っても溶けることがなく、ハンダボールが付着することがないので、このハンダボールを除去する後工程を必要としない。
【００５５】
また、本例によれば、金属保持脚１１及び１２、１２によりピンジャック端子板３を回路基板４に保持固定するようにしているので、この金属保持脚１１及び１２、１２は、それ自身の弾性反発力により回路基板４に対して保持している。このため微小な孔寸法の変化、回路基板４のエッジの荒さの変化にもマージンが大きい。
【００５６】
また、本例によれば、金属保持脚１１及び１２、１２の夫々の係合突起１１ａ及び１２ａ、１２ａがく字状又は逆く字状をしている。このため、係合突起１１ａ、１２ａを形成するく字状又は逆く字状部の1辺の垂直方向の長さＬ２を、例えば２.５ｍｍとし、係合突起１１ａ、１２ａの幅Ｌ３を例えば２.０ｍｍとしたときには、回路基板４の板厚の異なる例えば板厚１．６ｍｍ及び板厚１．２ｍｍのものの双方に対応し、良好に保持固定することができる。
【００５７】
尚、本発明は、上述例に限ることなく本発明の要旨を逸脱することなく、その他種々の構成が採り得ることは勿論である。
【図面の簡単な説明】
【００５８】
【図１】本発明ピンジャック端子板を実施するための最良の形態の例を示す裏面から見た斜視図である。
【図２】本発明に使用される回路基板の例を示す裏面から見た斜視図である。
【図３】金属保持脚の例を示す側面図である。
【図４】ターミナル部の例を示す斜視図である。
【図５】従来のピンジャック端子板の例を示す裏面から見た斜視図である。
【図６】従来の回路基板の例を示す裏面から見た斜視図である。
【符号の説明】
【００５９】
１…ハウジング、２…ピンジャック、２ａ…端子、３…ピンジャック端子板、４…回路基板、４ａ…マウント孔、４ｂ…接続孔、１０ａ…一方の壁、１０ｂ…他方の壁、１１、１２…金属保持脚、１１ａ、１２ａ…係合突起
【図１】
2008176953.tif 000003
【図２】
2008176953.tif 000004
【図３】
2008176953.tif 000005
【図４】
2008176953.tif 000006
【図５】
2008176953.tif 000007
【図６】
2008176953.tif 000008